(57)【要約】【課題】操作ハンドルを手動でＯＮ，ＯＦＦ位置に移動して回路遮断器を遠隔操作する際に、そのハンドルをＯＮ，ＯＦＦの終端位置に強制移動してこの位置に拘束保持し、ハンドル操作の誤認，誤操作を確実に防止できるように改良した回路遮断器のワイヤー式外部操作装置を提供する。【解決手段】回路遮断器1の前面に取付けてそのハンドル１ｂに連係させた駆動部３と、該駆動部３に操作ワイヤー４を介して連結した操作部５とを組み合わせ、操作部５はベース板５ａに操作ハンドル５ｂ，操作ワイヤー４ａを結合した回転レバー５ｃ，および回転レバー５ｃと操作ハンドル５ｂとの間をリンク結合した駆動レバー５ｄを組み付けた組立構造になる回路遮断器のワイヤー式外部操作装置において、前記回転レバー５ｃに連繋して連動動作する反転ばね式トグルリンク機構６を設け、操作ハンドル５ｂの操作時に該操作ハンドル５ｂをＯＮ，ＯＦＦの終端位置に強制移動してこの位置に拘束保持させる。【選択図】図１
2011171095.tif 000002
【特許請求の範囲】
【請求項１】
遠隔操作で回路遮断器のハンドルをオン,オフ,リセット位置に駆動する回路遮断器のワイヤー式外部操作装置であって、回路遮断器の本体ケースの前面に取付けて前記ハンドルに連係させた駆動部と、該駆動部に操作ワイヤーを介して連結した操作部とを組み合わせ、前記操作部は、そのベース板にレバー式の操作ハンドル，前記操作ワイヤーの終端に結合した回転レバー，および該回転レバーと前記操作ハンドルとの間をリンク結合した駆動レバーを組み付けた組立構造になるものにおいて、
前記操作ハンドルのオン，オフ操作時に該操作ハンドルをオン，オフの終端位置に移動してこの位置に拘束保持する手段として、前記回転レバーに連繋して連動動作する反転ばね式トグルリンク機構を設けたことを特徴とする回路遮断器のワイヤー式外部操作装置。
【請求項２】
請求項１に記載のワイヤー式外部操作装置において、操作部の反転ばね式トグルリンク機構が、継手部材を介して前記回転レバーの先端に軸支連結し、かつ他端をベース板のばね受け座に遊嵌して揺動自在に支持したガイド棒と、該ガイド棒に嵌挿して前記ばね受け座と前記継手部材との間に張架した圧縮コイルばねの反転ばねとの組立構造になることを特徴とする回路遮断器のワイヤー式外部操作装置。
【請求項３】
請求項２に記載のワイヤー式外部操作装置において、反転ばねのばね荷重を回路遮断器のハンドルがリセット位置からオフ位置に戻る力以上に設定したことを特徴とする回路遮断器のワイヤー式外部操作装置。
【発明の詳細な説明】
【技術分野】
【０００１】
この発明は、配線用回路遮断器，漏電遮断器などの回路遮断器に適用して回路遮断器のハンドルを遠隔操作でオン,オフ,リセット位置に駆動するワイヤー式外部操作装置に関する。
【背景技術】
【０００２】
配電盤，分電盤などの盤内に据付けた頭記の回路遮断器を、盤外からの遠隔操作でオン,オフ,リセット位置に駆動するようにしたワイヤー式外部操作装置が従来知られている（例えば特許文献１参照）。
【０００３】
次に、上記ワイヤー式外部操作装置の従来構造を図２，図３に示す。図において、１は配電盤などの盤内に据付けた回路遮断器、２はワイヤー式外部操作装置であり、ワイヤー式外部操作装置２は回路遮断器１の本体ケース１ａに外付けして該本体ケース１ａのカバーから突き出たハンドル（ロッカーハンドル）１ｂに連係させた駆動部３と、盤外に配置して前記駆動部３との間に操作ワイヤー４を介して連結した操作部５との組み合わせからなる。
【０００４】
ここで、前記駆動部３は、特許文献１に詳しく述べられているように、回路遮断器１の本体ケース１ａに外付けした固定ベース３ａと、板面の中央に開口した角穴を回路遮断器１のハンドル１ｂに嵌合して前記固定ベース３ａに案内支持したスライドベース３ｂと、該スライドベース３ｂに固定（カシメ止め）してその先端をオフ側からハンドル１ｂに対峙する板ばね材製のプッシャー片３ｃとの組立体になり、この駆動部３に前記操作ワイヤー４の一端が結合されている。この操作ワイヤー４は外装チューブ４ａにワイヤー４ｂを通したもので、その外装チューブ４ａを固定ベース３ａの下端からＬ字状に起立した端部に固定した上で、ワイヤー４ｂの先端がスライドベース３ｂの上端からＬ字状に起立した端部に結合されている。
【０００５】
一方、操作部５は、ベース板５ａにレバー式の操作ハンドル５ｂ，回転レバー５ｃ，駆動レバー５ｄを組み付けた構造体になり、前記ベース板５ａが盤の前面に設置される。ここで、操作ハンドル５ｂはベース板５ａの前面に配置されており、遠隔操作で回路遮断器１をＯＦＦ，ＲＥＳＥＴ操作する場合には操作ハンドル５ｂの把手を下方に押し下げ、ＯＮ操作する場合には把手を上方に押し上げる。なお、５ｂ−１は操作ハンドル５ｂのＯＮ，ＯＦＦ，ＲＥＳＥＴの操作方向を示す表示板である。また、操作ハンドル５ｂはその回転軸にクランクアーム（不図示）を介して前記駆動レバー５ｄの一端に連結されている。
【０００６】
また、回転レバー５ｃはＬ字形のリンク形状で、そのコーナー部が支軸５ｃ−１を介してベース板５ａに揺動可能に軸支されており、回転レバー５ｃの上辺アーム部には前記操作ワイヤー４のワイヤー４ｂが結合され、下辺アーム部の先端がリンクピン５ｄ−１を介して駆動レバー５ｄにリンク結合されている。
【０００７】
上記の構成で、操作部５の操作ハンドル５ｂをＯＮ位置に向けて上方に押し上げると、これに連動して駆動レバー５ｄが左側に移動して回転レバー５ｃを時計方向に回転させる。これにより、操作ワイヤー４を介して駆動部３のスライドベース３ｂが上方に引き上げられ、この動きに応動して回路遮断器１のハンドル１ｂがＯＮ位置に駆動される。また、回路遮断器１をＯＦＦ操作する場合には、操作部５の操作ハンドル５ｂを下方に押し下げる。このハンドル操作により回転レバー５ｃが前記とは逆に反時計方向に回動して操作ワイヤー４を引っ張る。これにより、駆動部３のスライドベース３ｂが下方に移動してプッシャー片３ｃが回路遮断器１のハンドル１ｂをＯＦＦ位置に駆動する。
【０００８】
また、回路遮断器１をトリップ動作後に再投入するには、トリップ位置に停止しているハンドル１ｂをＯＦＦの終端位置まで戻して開閉機構をリセットさせた後、改めてハンドル１ｂをＯＮ位置に移動して回路遮断器１を投入する。この回路遮断器のリセット操作を操作部５から遠隔操作するには、先ず操作ハンドル５ｂをＯＦＦ位置に回し、さらに力を加えて操作ハンドル５ｂを押し込む。これにより、駆動部３のスライドベース３ｂに固定したプッシャー片３ｃが回路遮断器１のハンドル１ｂをＯＦＦ位置からさらに押し込んで回路遮断器の開閉機構をリセットする。
【０００９】
なお、このリセット操作では板ばね材で作られたプッシャー片３ｃが次記のように機能する。すなわち、通常のＯＦＦ操作では駆動部３のプッシャー片３ｃがハンドル１ｂを押し下げてＯＦＦ位置に駆動する。これに対してリセット操作によりプッシャー片３ｃがハンドル１ｂをＲＥＳＥＴ位置に押し込むと、プッシャー片３ｃの先端部が撓んでオーバーストロークによる過大な駆動力を逃がす。これにより、ハンドル１ｂに過大な荷重が直接加わって破損するトラブルを回避できる。
【先行技術文献】
【特許文献】
【００１０】
【特許文献１】特開２００６−３３１９６１号公報
【発明の概要】
【発明が解決しようとする課題】
【００１１】
ところで、前記した従来構造のワイヤー式外部操作装置では、回路遮断器のリセット操作時に次記のような不具合が生じる問題がある。
すなわち、回路遮断器１をリセット操作する際に、操作部５の操作ハンドル５ｂを手動でＲＥＳＥＴ位置（ＯＦＦ側の終端位置）まで押し込んだ後に操作ハンドルから手を離すと、回路遮断器１のハンドル１ｂがＲＥＳＥＴ位置からＯＦＦ位置に戻すように働く開閉機構の力と、駆動部３のプッシャー片３ｃが元の形状に戻ろうとするばね弾性の復元力とがスライドベース３ｂに加わってスライドベース３ｂが上方に押し上げられる。このために、操作ワイヤー４を介して操作部５の回転レバー５ｃが時計方向に回動し、この動きに従動して操作ハンドル５ｂがＯＦＦ終端位置から引き戻されてその停止位置が正規の位置からずれてしまうようになる。このような状況になると、回路遮断器１のリセット操作が済んでいるにも係わらず、操作ハンドル５ｂはＯＦＦとＯＮ位置の中間に移動して停止するので、保守員は操作ハンドル５ｂの停止位置から操作状態を誤認するおそれがある。
【００１２】
また、回路遮断器１のリセット操作時に操作ハンドル５ｂを押し込む力が弱いと、回路遮断器１のハンドル１ｂをＯＦＦからＲＥＳＥＴ位置に押し込む力が不足して正しくリセットされないおそれもある。
【００１３】
この発明は上記の点に鑑みなされたものであり、その目的は前記課題を解決して操作ハンドルを手動でＯＮ，あるいはＯＦＦ位置に移動して回路遮断器を遠隔操作する際に、そのハンドルを確実にＯＮ，ＯＦＦの終端位置に強制移動してこの位置に拘束保持し、これにより操作ハンドルの操作位置誤認，誤操作を確実に防止できるように改良した回路遮断器のワイヤー式外部操作装置を提供することにある。
【課題を解決するための手段】
【００１４】
上記目的を達成するために、この発明によれば、遠隔操作で回路遮断器のハンドルをオン,オフ,リセット位置に駆動する回路遮断器のワイヤー式外部操作装置であって、回路遮断器の本体ケースの前面に取付けて前記ハンドルに連係させた駆動部と、該駆動部に操作ワイヤーを介して連結した操作部とを組み合わせ、前記操作部は、そのベース板にレバー式の操作ハンドル，前記操作ワイヤーの終端に結合した回転レバー，および該回転レバーと前記操作ハンドルとの間をリンク結合した駆動レバーを組み付けた組立構造になるものにおいて、
前記操作ハンドルのオン，オフ操作時に該操作ハンドルをオン，オフの終端位置に移動してこの位置に拘束保持する手段として、前記回転レバーに連繋して連動動作する反転ばね式トグルリンク機構を設け（請求項１）、そのトグルリンク機構は具体的に次記のような態様で構成する。
（１）前記操作部の反転ばね式トグルリンク機構は、継手部材を介して前記回転レバーの先端に軸支連結し、かつ他端をベース板のばね受け座に遊嵌して傾動自在に支持したガイド棒と、該ガイド棒に嵌挿して前記ばね受け座と前記継手部材との間に張架した圧縮コイルばねの反転ばねとの組立構造になり、回路遮断器のオン／オフ遠隔操作に合わせて反転動作する前記反転ばねのばね荷重で操作ハンドルをオン，オフの終端位置に強制移動してこの位置に保持させるようにする（請求項２）。
（２）前項（１）において、前記反転ばねのばね荷重を回路遮断器のハンドルがリセット位置からオフ位置に戻る力以上に設定する（請求項３）。
【発明の効果】
【００１５】
上記の構成によれば、回路遮断器のオン，オフ，リセット操作時に、操作部の操作ハンドルを手動でＯＮ，あるいはＯＦＦ位置に向けて切換え操作すると、その切換え操作の途上で反転ばね式トグルリンク機構が反転動作し、その圧縮コイルばね（反転ばね）のばね荷重が操作ハンドルをＯＮ，あるいはＯＦＦ終端位置に強制移動してこの位置に拘束保持させる。
【００１６】
これにより、従来構造のワイヤー式外部操作装置で問題となっていた操作ハンドルの跳ね返りによるハンドル停止位置の不要なずれ移動、および操作力不足によるリセットのミスを確実に防止して操作性の向上が図れる。
【図面の簡単な説明】
【００１７】
【図１】この発明の実施例による回路遮断器のワイヤー式外部操作装置の構成図である。
【図２】従来における回路遮断器のワイヤー式外部操作装置の構成図である。
【図３】図２における回路遮断器，および駆動部の側面図である。
【発明を実施するための形態】
【００１８】
以下、この発明の実施の形態を図１に示す実施例に基づいて説明する。なお、実施例の図中で図２に対応する部材には同じ符号を付してその説明は省略する。
図示の実施例において、ワイヤー式外部操作装置２の駆動部３は図２，図３に示した従来構造と同じであるが、操作部５には次記構成になる反転ばね式トグルリンク機構６が回転レバー５ｃに連繋して追加装備されている。
【００１９】
すなわち、操作部５に組み付けた回転レバー５ｃの下辺アーム部の先端にはリンクピン６ａ−１を介して軸支したコ字形の継手６ａにガイド棒６ｂを連結し、このガイド棒６ｂに圧縮コイルばね（反転ばね）６ｃを嵌挿した上で、ガイド棒６ｂの先端をベース板５ａから切り起こし形成したばね受座５ａ−１の穿孔穴（ばか穴）に遊嵌して揺動自在に支持し、この組立状態で圧縮コイルばね６ｃを前記継手６ａとばね受座５ａ−１との間に撓ませた状態に張架して反転ばね式トグルリンク機構６を構成している。なお、図示の実線は操作ハンドル５ｂのＯＦＦ位置、鎖線はＯＮ位置を表している。
【００２０】
上記の構成で、操作ハンドル５ｂをＯＦＦ位置に向けて押し下げた状態（実線）では、前記反転ばね式トグルリンク機構６の圧縮コイルばね６ｃのばね荷重を受けて回転レバー５ｃが支軸５ｃ−１を支点に反時計方向に駆動される。これにより、回転レバー５ｃに駆動レバー５ｄを介して連結した操作ハンドル５ｂはＯＦＦ終端位置（通常のＯＦＦ操作位置を超えたＲＥＳＥＴ位置）に強制移動してこのＯＦＦ終端位置に拘束保持される。
【００２１】
一方、操作ハンドル５ｂをＯＮ位置に引き上げた状態（鎖線）では、前記とは逆に圧縮コイルばね６ｃのばね荷重を受けて回転レバー５ｃが時計方向に駆動されるとともに、操作ハンドル５ｂはＯＮ終端位置に強制移動してこの位置に拘束保持される。
【００２２】
この場合に、操作ハンドル５ｃを手動でＯＮ→ＯＦＦ位置，ＯＦＦ→ＯＮ位置に切換え操作すると駆動レバー５ｄを介して回転レバー５ｃが支軸５ｃ−１を支点に回動し、これに伴い回線レバー５ｃの先端に軸支した反転ばね式トグルリンク機構６の継手６ａは、回転レバー５ｃの支軸５ｃ−１を中心とする回転半径の経路に沿って移動するとともに、ガイド棒６ｂに嵌挿した圧縮コイルばね（反転ばね）６ｃはこの移動途上の前半で圧縮され、後半では圧縮が開放されるようになる。
【００２３】
すなわち、継手６ａが前記支軸５ｃ−１とベース板５ａに形成したばね受座５ａ−１とを結ぶ仮想線との交点Ｐに達するまでの前半では圧縮コイルばね６ｃは圧縮され、交点Ｐを超えると圧縮コイルばね６ｃが反転動作していままで蓄勢していたばね力を放勢し、そのばね力により回転レバー５ｃ，操作ハンドル５ｂが終端位置に強制移動してこの位置に拘束保持される。そして、上記の切換え動作に合わせて回転レバー５ｃに操作ワイヤー４を介して連結した駆動部３のスライドベース３ｃが昇降移動して、回路遮断器１のハンドル１ｂをＯＮ，ＯＦＦ位置に駆動し、かつオフ操作時には回路遮断器１のハンドル１ｂをＲＥＳＥＴ位置に押し込む。
【００２４】
ここで、前記反転ばね式トグルリンク機構６の圧縮コイルばね６ｃのばね荷重を、回路遮断器１のハンドル１ｂがＲＥＳＥＴ位置からＯＦＦ位置に戻る力（回路遮断器の開閉機構の復帰力に先記駆動部３のスライドベース３ｂに設けたプッシャー片３ｃの復元力を加えた力）以上に設定しておくものとし、これにより次記のような効果が得られる。すなわち、回路遮断器１のトリップ動作後に操作部５の操作ハンドル５ｂを手動でＯＦＦ位置に向けて押し下げると、反転ばね式トグルリンク機構６の反転動作により操作ハンドル５ｂはＯＦＦ終端位置に強制移動してこの位置に拘束保持されると同時に、操作ワイヤー４を介して駆動部３のスライドベース３ｂがプッシャー片３ｃを介して回路遮断器１のハンドル１ｂをＲＥＳＥＴ位置に押し込む。
【００２５】
これにより、回路遮断器１のリセット操作が確実に行えるとともに、操作部５の操作ハンドル５ｂをＯＦＦ終端位置に拘束保持することができ、従来構造で問題となっていた操作ハンドル５ｂの跳ね返りによるハンドル停止位置の不要なずれ、および操作力不足によるリセット操作のミスを確実に防止してワイヤー式外部操作装置の操作性，信頼性を確保できる。
【符号の説明】
【００２６】
１：  回路遮断器
１ｂ：ハンドル
２：ワイヤー式外部操作装置
３：駆動部
３ｂ：スライドベース
３ｃ：プッシャー片
４：操作ワイヤー
５：操作部
５ａ：ベース板
５ａ−１:ばね受座
５ｂ：操作ハンドル
５ｃ：回転レバー
５ｄ：駆動レバー
６：反転ばね式トグルリンク機構
６ａ：継手
６ｂ：ガイド棒
６ｃ：圧縮コイルばね（反転ばね）
【図１】
2011171095.tif 000003
【図２】
2011171095.tif 000004
【図３】
2011171095.tif 000005